(57)【特許請求の範囲】
【請求項１】
組成物（３２）を受容するための容器であって、前記容器は底部（１４）及び開口部（１６）の間に中央軸（Ｚ）に沿って延在する環状の側壁（１２）を有し、前記側壁（１２）は、使用者の第１の手（Ｍ１）の、親指（５７）の他の、２つの隣接する指（５８，６０，６２）を受容するための形状の第１外側狭窄部（３４、３４Ａ＆３４Ｂ）を示し、前記容器は、前記側壁（１２）がまた、同じ使用者の第２の手（Ｍ２）の、親指（５７’）の他の、２つの隣接する指（５８’，６０’，６２’）を受容するための形状の第２外側狭窄部（３６、３６Ａ＆３６Ｂ）を含み、第２狭窄部（３６、３６Ａ＆３６Ｂ）は中央軸に沿った第１狭窄部（３４、３４Ａ＆３４Ｂ）から間隔を有していることを特徴とする容器。
【請求項２】
第１及び第２狭窄部（３４、３４Ａ＆３４Ｂ；３６、３６Ａ＆３６Ｂ）のそれぞれは、２ｃｍよりも超えない最小直径幅（Ｄ３４；Ｄ３６）を示すことを特徴とする請求項１に記載の容器。
【請求項３】
前記第１及び第２狭窄部（３４、３４Ａ＆３４Ｂ；３６、３６Ａ＆３６Ｂ）は、中央軸（Ｚ）に沿って互いから少なくとも５ｍｍ間隔を有していることを特徴とする請求項１又は２に記載の容器。
【請求項４】
前記第１及び第２狭窄部（３４、３４Ａ＆３４Ｂ；３６、３６Ａ＆３６Ｂ）のそれぞれは、それぞれ容器（１０）の両側に形成された２つの溝（３４Ａ＆３４Ｂ；３６Ａ＆３６Ｂ）により形成されかつそれぞれが溝の長手方向軸（Ｌ３４Ａ＆Ｌ３４Ｂ；Ｌ３６Ａ＆Ｌ３６Ｂ）に沿って延在することを特徴とする請求項３に記載の容器。
【請求項５】
前記第１及び第２狭窄部（３４、３４Ａ＆３４Ｂ；３６、３６Ａ＆３６Ｂ）のそれぞれ中の２つの溝の長手方向軸（Ｌ３４Ａ＆Ｌ３４Ｂ；Ｌ３６Ａ＆Ｌ３６Ｂ）は、それらの間に０から４５°を含む範囲にある角度を形成することを特徴とする請求項１から４のいずれか１つに記載の容器。
【請求項６】
前記第１及び第２狭窄部（３４、３４Ａ＆３４Ｂ；３６、３６Ａ＆３６Ｂ）のそれぞれの２つの溝の前記長手方向軸（Ｌ３４Ａ＆Ｌ３４Ｂ；Ｌ３６Ａ＆Ｌ３６Ｂ）は、それぞれ中央軸（Ｌ１；Ｌ２）を規定し、前記第１及び第２狭窄部（３４、３４Ａ＆３４Ｂ；３６、３６Ａ＆３６Ｂ）の前記中央軸（Ｌ１；Ｌ２）は、４５°から１３５°の範囲にある角度（α）だけ、互いから角度的にオフセットされていることを特徴とする請求項５に記載の容器。
【請求項７】
前記第１及び第２狭窄部（３４、３４Ａ＆３４Ｂ；３６、３６Ａ＆３６Ｂ）のそれぞれは、それぞれ前記側壁（１２）の周り全てを通る環状溝（３４；３６）を形成することを特徴とする請求項１から４のいずれか１つに記載の容器。
【請求項８】
請求項１から７のいずれか１つに記載の容器（１０）並びにハンドル（２４）及び前記ハンドル（２４）に接続されたアプリケーターヘッド（２０）を備えたアプリケーターを備える装置であって、前記ハンドル（２４）及び前記アプリケーターは前記容器（１０）を閉じるためのキャップを形成することを特徴とする装置。
【請求項９】
請求項８による装置の使用であって、容器（１０）に含まれる組成物（３２）を表面（５８’、６０’）上に塗布するために、組成物（３２）は、粘性が、２５℃で５ｍＰａ．ｓから５０００ｍＰａ．ｓの範囲にあることを示すことを特徴とする装置の使用。
【請求項１０】
前記組成物（３２）は、例えば、ペイント、ラッカー、及びニスのようなコーティング組成物から、並びに、例えばマニキュア、リップスティック、及びマスカラのような化粧品から選択されることを特徴とする請求項９に記載の使用。
【請求項１１】
組成物（３２）を爪（５８’、６０’）上に塗布する方法であって、前記方法は、以下のステップ：
ｉ）第１狭窄部（３４，３４Ａ＆３４Ｂ）中に、使用者の第１の手（Ｍ１）の２つの隣接する指（５８＆６０、６０＆６２）の間に請求項９に記載された装置（２２）の容器（１０）を把持するステップ；
ｉｉ）前記組成物（３２）を前記使用者の前記第１の手（Ｍ１）の少なくとも１つの爪（５８’、６０’）上に塗布するステップ；
ｉｉｉ）そして、第２狭窄部（３６，３６Ａ＆３６Ｂ）中に、同じ使用者の第２の手（Ｍ２）の２つの隣接する指（５８’＆６０’、６０’＆６２’）の間に前記容器（１０）を把持するステップ；
ｉｖ）前記第１の手（Ｍ１）の前記２つの指を第１狭窄部（３４，３４Ａ＆３４Ｂ）から除去するステップ；及び
ｖ）前記組成物（３２）を前記第２の手（Ｍ２）の少なくとも１つの爪上に塗布するステップ
を含むことを特徴とする方法。
【発明の詳細な説明】
【技術分野】
【０００１】
本願発明は、容器、そのような容器を備える装置、及びハンドル及び塗布ヘッドを備えるアプリケーター、表面に容器中に含まれる組成物を塗布するためのそのような装置の使用、及び、爪上に組成物を塗布する方法にも関する。
【０００２】
さらに正確には、組成物を受容するための容器は、底部及び開口部の間の中央軸に沿って延在する環状側壁を備え、その側壁は使用者の第１の手の、親指の他の、２つの隣り合う指を受容するように形成された第１外側狭窄部を提供する。
【背景技術】
【０００３】
特許文献１に記載された容器は、２つの凹肩により形成された単一の狭窄部を提供し、それぞれ、手の１つの指を受容するように設計されている。
【０００４】
しかしながら、そのような容器は、使用されるためには、面上に置かれる必要がある。
【０００５】
同じことが、特許文献２又は特許文献３に記載された容器にも当てはまり、それは同様に２つの隣接する指を受容するように形成された単一の狭窄部を有するが、同様に使用するためには置かれる必要がある。
【０００６】
特許文献４は、使用中に、置かれる必要がない容器を開示する。
【先行技術文献】
【特許文献】
【０００７】
【特許文献１】米国特許第２６５６８４２号明細書
【特許文献２】国際公開第９８／３１２５２号パンフレット
【特許文献３】欧州特許第１４２１８７４号明細書
【特許文献４】米国特許第５５６７０７０号明細書
【発明の概要】
【発明が解決しようとする課題】
【０００８】
しかしながら、その容器に備えられた単一の狭窄部は、そこに受容される指の周辺部の約４分の３について覆うように形成された２つの深い窪みにより形成される。その狭窄部に受容された指を取り除くことは、したがって、やや手間を要し、そして使用者は、特に組成物を爪に塗布する際、すなわち、爪にマニキュアを塗る際、コートされた面を損傷する危険を冒す。
【０００９】
さらに、それらの以前から知られている容器のどれも、置かれることなしに、コートされた面に損傷を与える危険なしに、そして転倒の危険なしに、一方の手から他方に渡すのに適していない。
【課題を解決するための手段】
【００１０】
本願発明の特定の目的は、一方の手から他方に容器を渡すことを容易にすることにより、使用者が、容器を使用でき、容器を支え物上に置く必要なしに、一方の手から他方に渡すことができるようにし、それにより上述した欠点を軽減することである。
【００１１】
特に、本願発明は、化粧品組成物の場合に、移動中を含み、いつでもメークアップすることができる使用者の必要に安全且つ効果的に適合する容器を提案することを探求するものである。
【００１２】
この目的のため、本発明によれば、側壁はまた、同じ使用者の第２の手の、親指の他の、２つの隣接する指を受容するために形成された第２外側狭窄部を含み、第２狭窄部は、その中央軸に沿って、第１狭窄部から間隔を有している。
【００１３】
これらの性質により、使用者は容器を置く必要がないので、容器は使用するのがより容易になり、一方の手から他方に渡すのが容易になる。２つの狭窄部が備えられ、それらのそれぞれが１つの手の指を受容するのに役立つように形成されていることから、１つの狭窄部が１つの手の指により占領されている場合に、他の狭窄部は、使用者の他の手の指を受容することが自由であるため、容器を使用してそれを一方の手から他方へ渡すことは容易になされる。第１の手の指が第１狭窄部にまだある間に、第２狭窄部に他方の手の指を置くことにより、容器は一方の手から他方に渡される。
【００１４】
本発明の様々な実施形態において、以下の条項の１つ及び／又はそれ以上に、随意選択的に要求がまたなされることができる：
・第１及び第２狭窄部のそれぞれが、２センチメートル（ｃｍ）以上ではない最小直径幅を示し、
・第１及び第２狭窄部は、中央軸に沿って少なくとも５ｍｍ互いから間隔を有し、
・第１及び第２狭窄部のそれぞれは、中央軸に垂直な横断面内に実質的に延在し、
・第１及び第２狭窄部のそれぞれが、容器の両側上にそれぞれ形成された２つの溝により形成され、そしてそれぞれ好ましくは中央軸に垂直な長手方向軸に沿って長手方向に延在し、
・第１及び第２狭窄部のそれぞれ中の２つの溝の長手軸がそれらの間に形成され、角度が０°から４５°の範囲に含まれて存在し、
・第１及び第２狭窄部のそれぞれの２つの溝の長手方向軸は、それぞれ中央軸を規定し、第１及び第２狭窄部の中央軸は、互いから角度に関して、４５°から１３５°の角度で、そして好ましくは４５°から１２０°で、そして好ましくは約４５°で、角度的にオフセットされており、並びに、
・第１及び第２狭窄部のそれぞれは、側壁辺りまで通るそれぞれの角度溝を形成する。
【００１５】
さらに、本発明はまた、そのような容器、並びに、ハンドル及び前記ハンドルに接続されたアプリケーターヘッドを備えるアプリケーターを備え、前記ハンドル及びアプリケーターは、容器を閉じるためのキャップを形成する。
【００１６】
さらに、本発明は、容器に含まれる組成物を表面上に塗布するためのそのような装置の使用を提供し、その組成物は２５℃で粘性を示し、５ミリパスカル秒（ｍＰａ．ｓ）から５０００ｍＰａ．ｓの範囲内にあり、そして好ましくは２０ｍＰａ．ｓから４０００ｍＰａ．ｓの範囲内にある。容器に含まれる組成物は好ましくは、例えば、塗料、ラッカー、及びニスのようなコーティング組成物、例えばマニキュア液、リップスティック、及びマスカラのような化粧品から選択され、特に使用のためコートされる表面は人間の体の領域である。
【００１７】
さらに、本発明は組成物を爪上に塗布する方法も提供し、その方法は以下のステップを含む：
ｉ）第１狭窄部中に、使用者の第１の手の２つの隣接する指の間に装置の容器を把持するステップ；
ｉｉ）使用者の第１の手の少なくとも１つの爪上に組成物を塗布するステップ；
ｉｉｉ）そして、第２狭窄部中に、同じ使用者の第２の手の２つの隣接する指の間に容器を把持するステップ；
ｉｖ）第１狭窄部から第１の手の２つの指を除去するステップ；及び
ｖ）第２の手の少なくとも１つの爪上に組成物を塗布するステップ。
ステップｉｉ）は、ステップｉｉｉ）に移る前に必要に応じて同じ表面に繰り返すことができ、及び／又は、使用者の第１の手の爪の全てに実行することができる。
【００１８】
さらに、ステップｉ）からｖ）は、特にもし爪に期待される結果を得るために幾つかの層が必要であれば、必要に応じて何度も繰り返すことができる。
【００１９】
使用者は、他方の手の爪に移る前に一方の手の爪の全てに塗布を実行することができるが、又は、それと反対に、もし使用者が手を定期的に変えることを好めば、これは非常に簡単に行うことができ、一方の手の爪の幾つかに行った後、他方の手の爪の幾つかに行い、そして第１の手に戻り、繰り返すことが、容器を置く必要なしに可能である。
【００２０】
同様に、使用者は、狭窄部中にいつも同じ指を置くことを決めることができ、また、特に容器を塗布が実行される爪を有する指に近づけるように動かすように、指を変えることを好むこともできる。そのような条件下で、且つもし使用者が、他方の手に渡す前に一方の手の爪上の塗布を終えることを好めば、容器を再び把持するために適所に第１の手の所望の指を置くのにかかる時間中、一時的に他方の手を使用して容器を把持し保持して、使用者が１つの手の指の間の異なる位置に容器を動かすことは非常に容易である。
【００２１】
このように、使用者は、第１の手に、例えば人差し指及び中指の間に、容器を把持し、人差し指と中指にマニキュアを塗布することから、始めることができる。その後、使用者は、第２の狭窄部中に２つの指を置くことにより、容器を置くことなしに第２の手を使用して容器を把持することができ、第１の手で容器を再び把持し第２の手でそれを離すために、そして第１の手で開放して続いて容器を（容器を置くことなく）例えば、第１の手の中指と薬指を第１の狭窄部に配置すること等ができる。
【００２２】
本発明は、非限定例として示される以下の本発明の詳細な実施形態を読むことでよく理解することができ、その利点がより明らかになる。
【００２３】
その記載は添付の図面を参照する。
【図面の簡単な説明】
【００２４】
【図１】本発明の装置の側面図である。
【図２】図１装置の別の側面図である。
【図３】図１装置の容器の斜視図である。
【図４】図２装置のＩＶ−ＩＶ線の断面図である。
【図５】図１装置のＶ−Ｖ線の断面図である。
【図６】別の変形例を構成する装置の側面図である。
【図７】使用中の図１装置の斜視図である。
【発明を実施するための形態】
【００２５】
図１は、環状側壁１２を備える容器１０が、底部１４及び開口部１６の間に中央軸Ｚに沿って延在することを示す。さらに正確には、図３を参照して、容器１０は、中央軸Ｚに沿って、アプリケーターヘッド２０（図７で示されている）を通すために開口部１６が備えられた自由端１８Ａにまで延在するネック１８を含む。側壁１２は底部１４及びネック１８の間に延在する。
【００２６】
図７を参照して、装置２２は、容器１０及びアプリケーターヘッド２０に接続されたハンドル２４により形成されたアプリケーターを備え、そのハンドル２４は容器１０を閉じるためのキャップを形成する。典型的には、さらに明確に図３で示されているように、ネック１８は、よく知られた方法でねじ山２６を備え、ハンドル２４は（示されていない）雌ねじきりを備え、ハンドル２４が容器１０に固定されることができ、それのためにキャップを形成する。
【００２７】
ハンドル２４が容器１０に固定される場合には、アプリケーターヘッド２０は、有利には、中央軸Ｚに沿って好ましく延在するステム３０により、ハンドル２４に固定される。
【００２８】
容器を保持している間、一方の手の中のみにそれを保持し続ける間、そして他方の手にそのハンドル２４を経由してアプリケーターヘッド２０を保持している間に、表面にそれを置く必要なしに使用者が容器１０に含まれる組成物３２を塗布することを可能にするために、容器１０の環状側壁１２は、図１及び３に示されているように、第１の手Ｍ１の、親指５７の他の、２つの隣接する指を受容するような形状の外側狭窄部３４を示す。以下に示す説明を通じて、「組成物」という用語は、粘性が大きいか又は小さい範囲の流体又は液体であることを意味するために使用される。
【００２９】
容器１０を一方の手から他方の手に、容器を置く必要なしに、持ち変えることを簡単にするために、側壁１２は、図２及び３により明らかに示されているように、使用者の第２の手Ｍ２の（親指５７’とは異なる）２つの隣接する指を受容するような形状のような、第２外側狭窄部３６を含む
【００３０】
第１及び第２狭窄部３４及び３６のそれぞれは、好ましくは、それぞれ２ｃｍよりも大きくない最小直径幅Ｄ３４又はＤ３６を示す。直径幅Ｄ３４は、中央軸Ｚを交差し、そして狭窄部３４中の側壁１２の外側で測定される。直径幅Ｄ３６は、狭窄部３６に対して同様に規定される。
【００３１】
図４及び５を参照して、第２狭窄部のＩＶ−ＩＶ断面及び第１狭窄部３４のＶ−Ｖ断面にそれぞれ対応して、図２及び１に示されるように、第１及び第２狭窄部３４及び３６のそれぞれは、好ましくは、中央軸Ｚに垂直な横断面Ｐ中に延在する。
【００３２】
第１及び第２狭窄部３４及び３６のそれぞれは、好ましくは、２つの溝、それぞれ３４Ａ＆３４Ｂ及び３６Ａ及び３６Ｂにより形成され、それは、容器のそれぞれの側上に形成され、それぞれ、第１狭窄部３４については長手方向軸Ｌ３４Ａ、Ｌ３４Ｂに沿って、第２狭窄部３６については長手方向軸Ｌ３６Ａ、Ｌ３６Ｂに沿って、中央軸Ｚと垂直に、延在する。
【００３３】
第１狭窄部３４の長手方向軸Ｌ３４Ａ及びＬ３４Ｂ並びに第２狭窄部３６の長手方向軸Ｌ３６Ａ及びＬ３６Ｂは、それぞれ、中央軸Ｌ１、Ｌ２を規定し、その中央軸は好ましくは、互いに対して角度αだけ角度的にオフセットしている。
【００３４】
詳しくは、四辺形断面の容器１０では、角度αは実質的には９０°に等しく、４つの溝３４Ａ、３４Ｂ、３６Ａ、及び３６Ｂは有利に、容器を形成する４つの側面のそれぞれ１つ中に形成される。
【００３５】
容器が、四辺形断面のものではない場合で、特にそれが軸的に対称的な円柱状形状のもの又はいくらかより複雑な形状のものである場合には、第１狭窄部３４の中央軸Ｌ１及び第２狭窄部３６の中央軸Ｌ２の間の角度は、９０°よりも小さくそして好ましくは約４５°とすることができ、それにより容器１０を一方の手から他方の手に渡すことを容易にすることができる。容器は、より複雑な形状のものであることができ、例えば、それは幾分かねじれているものとすることができ、その場合、角度αは幾分異なる他の値を有することができるが、しかしそれは、４５°から１３５°の範囲、そして好ましくは４５°から１２０°の範囲にあることが好ましい。
【００３６】
容器１０は、ポリアミド材料から作られることができ、例えば、ポリアミドコポリマー、例えば、「Ｇｒｉｖｏｒｙ（登録商標）」という名前で、特に「Ｇｒｉｖｏｒｙ（登録商標）Ｇ２１」という名前で、サプライヤーにより売られているナイロン（登録商標）から作られることができる。
【００３７】
第１及び第２狭窄部３４及び３６のそれぞれ２つの溝３４Ａ＆３４Ｂ及び３６Ａ＆３６Ｂは、それぞれ、平行にすることができ、図面に示されているように、互いの間で実質的に０の角度を形成する。代わりに、第１狭窄部３４の長手方向軸Ｌ３４Ａ及びＬ３４Ｂで測定される角度、及び同様に、第２狭窄部３６の長手方向軸Ｌ３６Ａ及びＬ３６Ｂで測定される角度は、非ゼロであることができ、その場合、溝は、所与の狭窄部内で相互に平行であることはなく、そしてそれらは、互いに対して、ゼロから４０°の範囲にある角度分、開くことができる。
【００３８】
さらに、そして特に容器１０が円柱状であり、中央軸Ｚについて軸的に対称的である場合には、第１及び第２狭窄部３４及び３６は、それぞれ、好ましくは、図６で示されているように、側壁１２回り全てにそれぞれの環状溝を形成する。
【００３９】
容器１０を一方の手から他方に渡すのを容易にするために、第１及び第２狭窄部３４及び３６は好ましくは、中央軸に沿って垂直に互いに対して間隔を有している。詳しくは図面に示されているように、第１及び第２狭窄部３４及び３６の間の高さＨは、好ましくは、中央軸Ｚに沿って５ｍｍのオーダーである。
【００４０】
容器１０に含まれる組成物３２の特性に応じて、アプリケーターヘッド２０は、ペイントブラシ又は任意の他の種類のアプリケーターの形態であることができ、剛毛であってもなくてもよく、それは剛性または柔軟性等を有することができる。
【００４１】
本発明の装置２２の容器１０は、より詳しくは、多いか又は少ない範囲の粘性があり、そして表面に塗布するために好適な液体組成物３２を含むことを意図している。本発明のそのような装置の使用は、容器１０が例えば、ペイント、ラッカー、又はニスのようなコーティング（より詳しくはｄｏ−ｉｔ−ｙｏｕｒｓｅｌｆ（ＤＩＹ）のために）から選択された組成物を含む場合に特に有利であり、又は美容目的のための使用が意図されている場合には、組成物３２は、例えばマニキュア、マスカラ、リップスティック、ファンデーション等の化粧品であることができる。
【００４２】
本発明の装置の使用は、液体組成物が２５℃で５ｍＰａ．ｓから５０００ｍＰａ．ｓの範囲に、そして好ましくは２０ｍＰａ．ｓから４０００ｍＰａ．ｓの範囲にあることを示す場合に特に有利である。
【００４３】
容器１０中に含まれる組成物３２の性質に応じて、本発明の装置は、固体表面をコートするため又は人体の領域をコートするために使用される。
【００４４】
本発明の装置の使用は、特に、化粧品、より詳しくはマニキュア、又はマニキュアの塗布の下塗りのための組成物、壊れた爪を修理するための組成物等を塗布するため、以下の方法により実行されることが好ましい。
【００４５】
本発明の装置の容器１０の把持の後、使用者の第１の手Ｍ１の２つの隣接する指の間で、使用者は、ハンドル２４によりアプリケーターヘッド２０を掴むために、そして第１の手Ｍ１の少なくとも１つの爪上に組成物３２を塗布するために、他方の手Ｍ２を使用する。
【００４６】
ハンドル２４を回して外して、容器１０からアプリケーターヘッド２０のステム３０を引き抜いた後、使用者は、アプリケーターヘッド２０を使用することにより、爪上に組成物３２を塗り広げるために塗布することができる。
【００４７】
爪上に組成物の第１の層を塗布した後に、使用者は、同じ手Ｍ１の別の指に移動して、対応する爪上に塗布を継続することができ、或いは容器を一方の手から他方に移すことにより第２の手の爪上に移ることを決めることができる。
【００４８】
詳しくは、そして図７で示されているように、容器１０は、使用者の左手Ｍ１の人差し指及び中指５８及び６０の間に押し込められて、これらの２つの指は第２狭窄部３６中に受容されており、一方使用者の右手Ｍ２は、そのハンドル２４を経由してアプリケーターヘッド２０を保持し、例えば、右手の親指５７’、人差し指５８’、及びおそらくは、また中指６０’を使用する。
【００４９】
左の人差し指５８の爪５９上に組成物３２を塗布した後、もし使用者がアプリケーターヘッド２０上に余分な組成物３２が残っていることを発見した場合には、使用者は、組成物３２を続く左手中指６０の爪６１にそこに塗布するために移ることを決定することができる。
【００５０】
もしアプリケーターヘッド２０上の組成物３２の量が十分でない場合には、使用者はアプリケーターヘッド２０上に組成物３２をつけるために、そのヘッドをもう一度容器１０に浸けることができる。そして使用者は左中指６０の爪６１に組成物３２を塗布することができる。
【００５１】
その後、使用者は以下の爪、例えば、左の薬指６２の爪６３、そして中指６４の爪６４に移ることができ、アプリケーターヘッド２０上に組成物３２をつけるこれらの操作を繰り返し、そして、左手Ｍ１の爪上に組成物３２を塗布するか、又は右手Ｍ２の少なくとも１つの指上に組成物３２を塗布することを始めるために一方から他方に容器を動かすことができる。使用者の好みに応じて、使用者は、組成物３２を左手Ｍ１の指の全てに塗布して、左手Ｍ１を使用することにより右手Ｍ２の爪に組成物３２を塗布するために、右手Ｍ２に容器を渡すことにより次に容器１０を保持する手を変えるのみすることを好むことができることが理解できる。当然に、使用の際、左手そして右手という順序は完全に任意である。
【００５２】
同じように、もし組成物３２を単一層に塗布するのに十分でない場合には、使用者は上述した操作を、所望の結果を得るために必要なだけ繰り返すことができる。
【００５３】
使用者は、例えば、右手Ｍ２の爪に動かす前に、組成物を左手Ｍ１の爪の全てに塗布することができ、又は反対にすることができ、もし使用者が手を定期的に変えることを好むのであれば、手を変え、そしてそのように一方の手の爪の幾つかに行って、そして他方の手の爪の幾つかに行い、そして第１の手に戻る等を、支持物に容器１０を置く必要が全然なく、行うことは非常に簡単である。
【００５４】
同様に、使用者は、狭窄部３４及び３６中にいつも同じ指、詳しくは人差し指５８、５８’及び中指６０、６０’を置くことを決めてもよく、或いは使用者は、特に容器１０をその爪が塗布を受ける指に近づけるようにするために、異なる指を使用することを好むことができる。そのような状況下では、そしてもし使用者が他方の手に移動する前に一方の手の爪上に塗布を終えることを好む場合には、容器１０の保持のために、一時的にそれを所望の指の間に置くのに必要な時間の間、第２の手を使用することにより１つの手の指の間に容器の位置を動かして、第１の手Ｍ１で容器を再び掴むことは非常に容易である。
【００５５】
使用者は、このように、左手Ｍ１に容器１０を、例えば、人差し指及び中指５８及び６０の間に保持することにより、及び左の人差し指５８の爪５９にそして左の中指６０の爪６１にマニキュアを塗布することにより始めることができる。その後、使用者は、容器１０を置くことなく、第２狭窄部３６に２つの指すなわち、右の人差し指５８’及び右の中指６０’を置くことにより、そして左手Ｍ１で離して、例えば、左手の中指６０及び薬指６２を第１狭窄部３４に位置して（まだ容器１０を支持物に置くことなく）、右手Ｍ２で容器１０を保持することができ、それにより容器１０を左手Ｍ１に再び保持して、右手Ｍ２でそれを離す等することができる。
【００５６】
好ましくはアプリケーターヘッド２０を容器１０に戻し、そして任意選択的に、しかし必ずしも必要ではないが、それを容器１０に固定した後に、容器を表面に置くことなく、容器１０は一方の手から他方に容易に渡される。
【符号の説明】
【００５７】
１０  容器
１２  側壁
１４  底部
１６  開口部
１８  ネック
１８Ａ  自由端
２０  アプリケーターヘッド
２４  ハンドル
２６  ねじ山
３０  ステム
３２  組成物
３４  第１狭窄部
３６  第２狭窄部
５８  左手の人差し指
５９  左の人差し指の爪
６０  左手の中指
６１  左手中指の爪
６２  左の薬指
６３  左の薬指の爪
５７’  右手の親指
５８’  右手の人差し指
６０’  右手の中指
【図１】
0005988544.tif 000002
【図２】
0005988544.tif 000003
【図３】
0005988544.tif 000004
【図４】
0005988544.tif 000005
【図５】
0005988544.tif 000006
【図６】
0005988544.tif 000007
【図７】
0005988544.tif 000008